(57)【要約】【課題】進行を妨げず映像単位のアクセス制御が可能な表示装置を提供すること。【解決手段】  映像を表示する表示手段３と、端末から映像要求及び端末の認証情報を受信する認証情報受信手段３２と、前記認証情報に基づく前記端末の認証が成立した場合、前記表示手段が表示している映像の映像データを前記端末に送信する映像データ送信手段３５と、を有することを特徴とする表示装置を提供する。【選択図】図２
2016009905.tif 000002
【特許請求の範囲】
【請求項１】
映像を表示する表示手段と、
端末から映像要求及び端末の認証情報を受信する認証情報受信手段と、
前記認証情報に基づく前記端末の認証が成立した場合、前記表示手段が表示している映像の映像データを前記端末に送信する映像データ送信手段と、
を有することを特徴とする表示装置。
【請求項２】
当該表示装置の状態に応じて前記認証情報を動的に生成する認証情報生成手段、
を有することを特徴とする請求項１記載の表示装置。
【請求項３】
前記表示手段が表示する映像の入力元を切り替えて入力させる映像入力手段を有し、
前記認証情報生成手段は、前記映像入力手段が前記入力元を切り替えたタイミングで、新しい前記認証情報を作成すると共に、古い前記認証情報を破棄する、
ことを特徴とする請求項２記載の表示装置。
【請求項４】
前記映像入力手段に前記入力元が入力している映像信号の停止又は開始を検知する映像信号検知手段を有し、
前記認証情報生成手段は、前記映像信号検知手段が映像信号の停止又は開始を検知したタイミングで、新しい前記認証情報を作成すると共に、古い前記認証情報を破棄する、ことを特徴とする請求項３記載の表示装置。
【請求項５】
前記映像入力手段に前記入力元が入力している映像信号を、前記表示手段が表示する映像に変換する映像変換手段を有し、
前記認証情報生成手段は、前記映像変換手段が映像信号を映像に変換したタイミングで、新しい前記認証情報を作成すると共に、古い前記認証情報を破棄する、
ことを特徴とする請求項３又は４記載の表示装置。
【請求項６】
前記認証情報生成手段は、最後に前記認証情報を生成してから所定時間が経過するごとに、新しい前記認証情報を作成すると共に、古い前記認証情報を破棄する、
ことを特徴とする請求項２記載の表示装置。
【請求項７】
設定を受け付ける設定受け付け手段を有し、
前記認証情報生成手段は、前記設定受け付け手段が予め定められた設定を受け付けた場合、新しい前記認証情報を作成すると共に、古い前記認証情報を破棄する、
ことを特徴とする請求項２記載の表示装置。
【請求項８】
前記表示手段は、複数の画像レイヤが合成された映像を表示するものであり、
前記認証情報受信手段は、前記端末から前記映像要求、前記認証情報及び画像レイヤ指定情報を受信し、
前記映像データ送信手段は、前記表示手段が表示している映像を構成する複数の画像レイヤのうち、前記画像レイヤ指定情報で指定される画像レイヤの映像データを送信する、
ことを特徴とする請求項１〜７いずれか１項記載の表示装置。
【請求項９】
前記表示手段が記憶媒体を入力元として記憶媒体に記憶されている映像ファイルを再生して映像を表示している場合に、前記認証情報受信手段が、前記端末から前記認証情報及び前記映像ファイルの要求を受信した場合、
前記映像データ送信手段は、前記記憶媒体から前記映像ファイルを読み出し、前記映像ファイルを前記端末に送信する、ことを特徴とする請求項８記載の表示装置。
【請求項１０】
前記表示手段は、映像と共に前記認証情報を表示する、ことを特徴とする請求項４記載の表示装置。
【請求項１１】
前記表示手段は、前記映像信号検知手段が映像信号を検知している間のみ、映像と共に前記認証情報を表示する、ことを特徴とする請求項１０記載の表示装置。
【請求項１２】
前記表示手段は、前記認証情報を表示させる操作を受け付けた場合、映像と共に前記認証情報を表示する、
ことを特徴とする請求項１０記載の表示装置。
【請求項１３】
映像を表示する表示手段と、
端末から映像要求及び認証情報を受信する認証情報受信手段と、
前記認証情報に基づく前記端末の認証が成立した場合、前記表示手段が表示している映像の映像データを前記端末に送信する映像データ送信手段と、
を有することを特徴とする表示システム。
【発明の詳細な説明】
【技術分野】
【０００１】
本発明は、表示している画像データを端末に送信する表示装置に関する。
【背景技術】
【０００２】
プレゼンテーションや会議を効率的に行うための表示装置が知られている。表示装置としては、例えば、インタラクティブボード（電子黒板）、プロジェクター、デジタルサイネージ、ＴＶ会議端末等がある。複数人がこれらの表示装置の映像に注目して議論できるだけでなく、ユーザが情報を書き込んだり、書き込んだ情報を複数人で共有することができる。リアルタイムに情報を共有できるので効率的な議論が可能になる。
【０００３】
図１は、インタラクティブボードを用いた会議の様子を模式的に示す図の一例である。ＰＣ１が表示している映像をインタラクティブボード１に送信することで、インタラクティブボード１はＰＣ１の映像を表示することができる。また、インタラクティブボード１はサーバの機能を有しており、ＰＣ２のブラウザはインタラクティブボード１が表示している映像をＰＣ２のディスプレイに表示することができる。
【０００４】
また、ユーザＡ１はインタラクティブボード１にペンなどで手書き情報５０１を書き込むことができる。インタラクティブボード１は他の拠点と手書き情報５０１と映像を共有できるため、拠点Ｂのインタラクティブボード２は拠点Ａのインタラクティブボード１と同じ映像と手書き情報５０１を表示できる。拠点Ｂのインタラクティブボード２に対する手書き情報も、インタラクティブボード１に反映される。したがって、インタラクティブボード１、２が表示している画面に対して複数人で画面へ検討内容を書き込み、リアルタイムで情報を共有することで会議での検討を効率化することが可能になっている。
【０００５】
図１はインタラクティブボードを例にしたが、プロジェクターがＰＣ１の映像を投影し、投影面への手書き位置をカメラなどで検出するシステムでも、同様に映像や手書き情報の共有が可能である。
【０００６】
図１のようなシステムにおいて、インタラクティブボード１が表示している映像をユーザＡ２が取り込みたい（キャプチャーしたい）場合は少なくない。インタラクティブボード１はそのための機能を備えており、ユーザＡ１又はＡ２はインタラクティブボード１を直接操作して映像を取り込むことができる。
【０００７】
しかし、仮にユーザＡ２が映像を取り込むためには、インタラクティブボード１まで赴き操作する必要が生じてしまう。ユーザＡ１のＰＣ１を操作することで、インタラクティブボード１の映像を取り込むことができる場合があるが、この場合もユーザＡ１又はＡ２がＰＣ１を操作しなければならない。
【０００８】
このため、共有している映像を取り込んで保存したりメール転送する場合は、一旦、会議を中断し、取り込みに必要な操作を行う必要がある。議論の経緯を複数回保存したい場合には、その都度、会議を中断する必要があり会議の効率を落としてしまうという不都合があった。
【０００９】
なお、デジタルカメラを用いれば、議論の検討結果をデジタルカメラで撮影し、記録に残すことができる。しかし、投影画面を正面から撮影しないと歪んでしまったり、撮影時に周囲の光が入り込むなどといった環境の問題によって、撮影した画像の画質が低下してしまうため採用しにくい。
【００１０】
このような不都合に対し、インタラクティブボード１に対しユーザＡ２がネットワーク上から映像を取り込むことを可能にすることが考えられる。これによって、ユーザＡ１の手を煩わせることなく会議参加者が映像を任意に取得することが可能になる。
【００１１】
しかしながら、ネットワーク上から映像の取り込みが可能になると、悪意のある第三者により不正に映像を取り込まれ、会議の内容が流出してしまう恐れがあるという不都合があった。
【００１２】
ネットワークからのアクセス制御について、一般的には、インタラクティブボード１などにアカウントとパスワードの組み合わせを登録しておき、ＰＣ２からのアクセスを認証することで、不正なアクセスの抑止を行う方法が知られている（例えば、特許文献１参照。）。特許文献１には、端末装置に入力されるべきパスワードを生成するパスワード生成部と、該パスワードを投写するパスワード投写部と、を備えるプロジェクターが開示されている。
【発明の概要】
【発明が解決しようとする課題】
【００１３】
しかしながら、特許文献１では、端末装置とプロジェクターが通信を開始する前に、プロジェクターが端末装置を認証するため、表示されている映像単位のアクセス制御ができないという問題がある。すなわち、認証が成立した後であれば、端末装置は、表示装置が表示する映像を自由に取り込むことができてしまう。
【００１４】
本発明は、上記課題に鑑み、進行を妨げず映像単位のアクセス制御が可能な表示装置を提供することを目的とする。
【課題を解決するための手段】
【００１５】
本発明は、上記課題に鑑み、映像を表示する表示手段と、端末から映像要求及び端末の認証情報を受信する認証情報受信手段と、前記認証情報に基づく前記端末の認証が成立した場合、前記表示手段が表示している映像の映像データを前記端末に送信する映像データ送信手段と、を有することを特徴とする。
【発明の効果】
【００１６】
進行を妨げず映像単位のアクセス制御が可能な表示装置を提供することができる。
【図面の簡単な説明】
【００１７】
【図１】インタラクティブボードを用いた会議の様子を模式的に示す図の一例である。
【図２】本実施形態のインタラクティブボード１が映像を取り込む手順の概略を説明する図の一例である。
【図３】映像表示システムの構成例を示す図の一例である。
【図４】表示装置のハードウェア構成図の一例である。
【図５】ネットワーク機器のハードウェア構成図の一例である。
【図６】映像表示システムの機能ブロック図の一例である。
【図７】パスワードの生成タイミングに関する画像出力部の機能ブロック図の一例である。
【図８】パスワードの生成タイミングに関する画像出力部の機能ブロック図の一例である。
【図９】パスワードの生成タイミングに関する画像出力部の機能ブロック図の一例である。
【図１０】パスワードの生成タイミングに関する画像出力部の機能ブロック図の一例である。
【図１１】パスワードの生成タイミングを説明する図の一例である。
【図１２】映像の表示に関する画像出力部の機能ブロック図の一例である。
【図１３】複数のレイヤの合成を模式的に説明する図の一例である。
【図１４】パスワードが合成された映像の一例である。
【図１５】パスワードの表示・非表示の切り替えについて説明する図の一例である。
【図１６】映像表示システムの動作手順を示すシーケンス図の一例である。
【発明を実施するための形態】
【００１８】
以下、本発明を実施するための形態について図面を参照しながら説明する。
図２は、本実施形態のインタラクティブボード１が映像を取り込む手順の概略を説明する図の一例である。
【００１９】
ＰＣ（Personal Computer）１はＲＧＢケーブルやＨＤＭＩ（登録商標。以下、「登録商標」という付記は省略する）ケーブルなどでインタラクティブボード１と接続されており、ＰＣ１が表示する映像をインタラクティブボード１に送信している。インタラクティブボード１はＰＣ１の映像をディスプレイに表示している。このような状態で、ＰＣ２のユーザＡ２が映像を取り込む場合、インタラクティブボード１は以下のように動作する。
【００２０】
１．まず、インタラクティブボード１はパスワードを動的に生成する。パスワードはインタラクティブボード１により表示される。生成のタイミングについて詳細は後述するが、例えば、ユーザＡ１がインタラクティブボード１に、映像リソースを提供するＰＣ１やＵＳＢメモリなどの機器を接続したことが契機になる。
【００２１】
２．ユーザＡ２がＰＣ２を操作して、ネットワーク経由でインタラクティブボード１に対して出力画像取得要求（映像の取り込み要求。映像要求の一例である。）を送信する。出力画像とは、インタラクティブボード１が表示している映像である。出力画像取得要求と共に、ユーザＡ２が入力したパスワードがインタラクティブボード１に送信される。
【００２２】
３．インタラクティブボード１は、出力画像取得要求を受信するとパスワードが一致するか否かを判定し、一致する場合、現在、表示している映像を取り込んで生成された映像データをＰＣ２に送信する。
【００２３】
このように、本実施形態のインタラクティブボード１は、映像データの取得要求が送信されたタイミングでＰＣ２を認証し、認証が成立した場合に、現在、表示している映像の映像データを送信するので、取り込まれる映像単位でアクセス制御することができる。
【００２４】
＜構成例＞
図３は、映像表示システム５００の構成例を示す図の一例である。映像表示システム５００は、互いにネットワーク２００を介して接続された表示装置１００、ユーザＰＣ５０、及び、ネットワーク機器２０を有している。
【００２５】
ネットワーク２００は、ＬＡＮやＷＡＮなどのイントラネット、又は、インターネットなどである。ネットワーク２００の一部又は全てを無線で構築してもよい。図３では、ユーザＰＣ５０がネットワーク２００を介して表示装置１００と接続されているが、ＲＧＢケーブルなどで接続される場合は、ユーザＰＣ５０と表示装置１００とはネットワーク２００を介さずに接続される。
【００２６】
表示装置１００は、例えば、インタラクティブボード（電子黒板）、プロジェクター、デジタルサイネージ、又は、ＴＶ会議端末などである。表示装置１００は、ユーザが手書きした情報を取得して表示する機能を備えることが好ましいが、本実施形態では手書き情報が書き込まれなくても実現できる。このような表示装置１００として、例えば、テレビ受像器、パソコンが表示する映像、デジタルカメラなどが挙げられ、この場合、ネットワーク機器２０はテレビ受像器等に対し映像の取り込みを要求し、デジタルカメラは映像を取り込んでネットワーク機器２０に送信する。
【００２７】
ユーザＰＣ５０は、表示装置１００が表示する映像を表示装置１００に提供する機器であり、ＰＣの他、スマートフォン、タブレットＰＣ、ウェアラブルＰＣ、ＰＤＡ（Personal Digital Assistant）など映像を出力する機能を備えていればよい。また、ＵＳＢメモリ、ＳＤメモリなどの映像を記憶する記憶媒体から映像が提供されてもよい。
【００２８】
ネットワーク機器２０は、表示装置１００に映像の取り込みと取り込まれた映像データの送信を要求する機器である。例えば、ＰＣ、スマートフォン、タブレットＰＣ、ウェアラブルＰＣ、ＰＤＡ（Personal Digital Assistant）などが一例として挙げられる。
【００２９】
なお、当然ながら、ユーザＰＣ５０が、表示装置１００に映像の取り込みと取り込まれた映像データを要求することが可能である。
【００３０】
＜表示装置のハードウェア構成＞
続いて、図４を用いて、本実施形態の表示装置１００のハードウェア構成を説明する。図４は、表示装置１００のハードウェア構成図の一例である。なお、図４の表示装置１００はインタラクティブボードを例に説明する。
【００３１】
表示装置１００は、表示装置全体の動作を制御するＣＰＵ１０１、ＩＰＬ等のＣＰＵ１０１の駆動に用いられるプログラムを記憶したＲＯＭ１０２、ＣＰＵ１０１のワークエリアとして使用されるＲＡＭ１０３、表示装置用のプログラム１１７等の各種データを記憶するＳＳＤ１０４、通信ネットワーク９との通信を制御するネットワークコントローラ１０５、及び、ＵＳＢメモリ５との通信を制御する外部記憶コントローラ１０６を備えている。
【００３２】
また、表示装置１００は、ユーザＰＣ５０が自機のディスプレイに表示している映像（静止画または動画）を取り込むキャプチャデバイス１１１、グラフィクスを専門に扱うＧＰＵ(Graphics Processing Unit)１１２、及び、ＧＰＵ１１２からの出力画像をディスプレイ３へ出力するために画面表示の制御及び管理を行うディスプレイコントローラ１１３を備えている。
【００３３】
さらに、表示装置１００は、接触センサ１１５の処理を制御するセンサコントローラ１１４、ディスプレイ３上に電子ペン４やユーザの手Ｈ等が接触したことを検知する接触センサ１１５を備えている。この接触センサ１１５は、赤外線遮断方式による座標の入力及び座標の検出を行う。この座標の入力及び座標の検出する方法は、ディスプレイ３の上側両端部に設置された２つ受発光装置（不図示）が、ディスプレイ３に平行して複数の赤外線を放射し、ディスプレイ３の周囲に設けられた反射部材によって反射されて、受光素子が放射した光の光路と同一の光路上を戻って来る光を受光する方法である。接触センサ１１５は、物体によって遮断された２つの受発光装置が放射した赤外線のＩＤ(Identification)をセンサコントローラ１１４に出力し、センサコントローラ１１４が、物体の接触位置である座標位置を特定する。
【００３４】
また、接触センサ１１５としては、赤外線遮断方式に限らず、静電容量の変化を検知することにより接触位置を特定する静電容量方式のタッチパネル、対向する２つの抵抗膜の電圧変化によって接触位置を特定する抵抗膜方式のタッチパネル、接触物体が表示部に接触することによって生じる電磁誘導を検知して接触位置を特定する電磁誘導方式のタッチパネルなどの種々の検出手段を用いてもよい。
【００３５】
また、表示装置１００は、電子ペンコントローラ１１６を備えている。この電子ペンコントローラ１１６は、電子ペン４と通信することで、ディスプレイ３へのペン先のタッチやペン尻のタッチの有無を判断する。なお、電子ペンコントローラ１１６が、電子ペン４のペン先及びペン尻だけでなく、電子ペン４のユーザが握る部分や、その他の電子ペンの部分のタッチの有無を判断するようにしてもよい。
【００３６】
さらに、表示装置１００は、ＣＰＵ１０１、ＲＯＭ１０２、ＲＡＭ１０３、ＳＳＤ１０４、ネットワークコントローラ１０５、外部記憶コントローラ１０６、キャプチャデバイス１１１、ＧＰＵ１１２、センサコントローラ１１４、及び電子ペンコントローラ１１６を図４に示されているように電気的に接続するためのアドレスバスやデータバス等のバスライン１２０を備えている。
【００３７】
なお、表示装置用のプログラム１１７は、ＣＤ−ＲＯＭ等のコンピュータで読み取り可能な記録媒体に記録して流通させるようにしてもよい。
【００３８】
図５は、ネットワーク機器２０のハードウェア構成図の一例を示す。ネットワーク機器２０はそれぞれバスで相互に接続されているＣＰＵ２０１、ＲＡＭ２０２、ＲＯＭ２０３、記憶媒体装着部２０４、通信装置２０５、入力装置２０６、描画制御部２０７及びＨＤＤ２０８、を有する。ＣＰＵ２０１は、ＯＳ（Operating System）やプログラム２１１をＨＤＤ２０８から読み出して実行することで種々の機能を提供する。
【００３９】
ＲＡＭ２０２はＣＰＵ２０１がプログラム２１１を実行する際に必要なデータを一時保管する作業メモリ（主記憶メモリ）になり、ＲＯＭ２０３はＢＩＯＳ（Basic Input Output System）やＯＳを起動するためのプログラムが記憶されている。
【００４０】
記憶媒体装着部２０４には記憶媒体２１０が着脱可能であり、記憶媒体２１０に記録されたデータを読み込み、ＨＤＤ２０８に記憶させる。また、記憶媒体装着部２０４は、ＨＤＤ２０８に記憶されたデータを記憶媒体２１０に書き込むこともできる。記憶媒体２１０は例えば、ＵＳＤメモリ、ＳＤカード等である。プログラム２１１は、記憶媒体２１０に記憶された状態や不図示のサーバからダウンロードすることで配布される。
【００４１】
入力装置２０６は、キーボードやマウス、トラックボールなどであり、ネットワーク機器２０へのユーザの様々な操作指示を受け付ける。
【００４２】
ＨＤＤ２０８には、ＯＳ、プログラム２１１、アプリケーションソフトウェア、及び、各種のデータが記憶されている。ＳＳＤ等の不揮発メモリでもよい。
【００４３】
通信装置２０５は、ネットワークに接続するためのＮＩＣ（Network Interface Card）であり、例えば、イーサネット（登録商標）カードである。
【００４４】
描画制御部２０７は、ＣＰＵ２０１がプログラム２１１を実行してグラフィックメモリに書き込んだ描画コマンドを解釈して、画面を生成しディスプレイ２０９に描画する。なお、図５ではディスプレイ２０９はネットワーク機器２０に外付けされているが、ネットワーク機器２０がディスプレイ２０９を内蔵していてもよい。
【００４５】
＜表示装置の機能＞
図６は、映像表示システム５００の機能ブロック図の一例を示す。表示装置１００は、パスワード入力受付部３２、画像出力部３３、出力画像データ送信部３５、パスワード生成部３１、及び、パスワード表示部３４を有している。なお、これらの機能は表示装置１００が有する機能の一部に過ぎず、図示する以外の表示装置１００に必要な機能を有している。また、パスワード入力受付部３２、画像出力部３３、出力画像データ送信部３５、パスワード生成部３１、及び、パスワード表示部３４は、ＣＰＵ１０１がＳＳＤ１０４に記憶されたプログラム１１７を実行してハードウェアと協働することで実現される。
【００４６】
パスワード生成部３１は、パスワードを動的に生成する。パスワードは、所定の桁数以上の数値、アルファベット、アンダーバーなどの記号、又は、これらの２つ以上を組み合わせたものである。パスワードは認証情報の一例である。パスワードの桁数は予め表示装置１００に設定されていてもよいし、ユーザが選択してもよい。
【００４７】
パスワードを生成するタイミングは、例えば、以下のようなタイミングである。
Ａ．表示装置１００にネットワーク機器２０やＵＳＢメモリ５が接続された時（表示する資料が変更されるタイミング）
Ｂ．ネットワーク機器２０やＵＳＢメモリ５からの映像信号の状態が変化した時
Ｃ．映像リソースの映像から映像データを生成できる状態に変化した時
Ｄ．最後にパスワードが生成されてから所定時間が経過した時
Ｅ．メニューから受け付けられる設定内容が予め定められている値に変化した時
Ｆ．パスワード入力受付部３２がパスワードの入力を受け付けた時
パスワード表示部３４は、有効なパスワードを表示する。有効なパスワードとは、最も新しいパスワードである。パスワード表示部３４は、画像出力部３３がディスプレイ３に表示する映像に対して、パスワードを重ね合わせて表示することができる。
【００４８】
パスワード入力受付部３２は、ネットワーク機器２０から送信された画像取得要求に伴うパスワードの入力を受け付け、パスワードが正しいか否かを判断する。すなわち、パスワードに基づいてネットワーク機器２０を認証し、認証が成立した場合にだけ映像データを送信する。パスワード入力受付部３２は、Ｗｅｂサーバの機能を備えており、ネットワーク機器２０とＨＴＴＰなどのプロトコルで通信する。
【００４９】
画像出力部３３は、ユーザＰＣ５０から送信されたコンテンツの映像やＵＳＢメモリ５などに記憶されているコンテンツの映像をディスプレイ３に表示する。
【００５０】
出力画像データ送信部３５は、パスワード入力受付部３２がパスワードが一致したと判定すると、画像出力部３３がディスプレイに表示している映像データを画像出力部３３に取り込ませ、該映像データをネットワーク機器２０に送信する。
【００５１】
また、ネットワーク機器２０は、ブラウザ部２１と機器操作部２２を有している。ブラウザ部２１は、表示装置１００から送信されたＨＴＭＬ、JavaScript（登録商標）及びＸＭＬなどで記述された配信データを解釈しディスプレイに表示する。機器操作部２２は、ネットワーク機器２０に対するパスワードの入力などの操作を受け付ける。
【００５２】
＜＜パスワードの生成＞＞
以下では、上記Ａ〜Ｆのパスワードの生成タイミングについて説明する。
Ａ．表示装置１００にネットワーク機器２０やＵＳＢメモリ５が接続された時（表示する資料が変更されるタイミング）
図７は、パスワードの生成タイミングに関する画像出力部３３の機能ブロック図の一例を示す。表示装置１００は、映像のコンテンツが入力されるキャプチャデバイス１１１として、１つ以上のＲＧＢインタフェース１１１ａ、ＨＤＭＩインタフェース１１１ｂを有している。また、ＵＳＢメモリ５が接続される外部記憶コントローラ１０６を有している。以下、ユーザＰＣ５０やＵＳＢメモリ５を映像リソース（映像の入力元の一例である）という。
【００５３】
ＲＧＢインタフェース１１１ａにＲＧＢケーブルが接続されるとＲＧＢインタフェース１１１ａはＣＰＵ１０１に割り込み信号を出力するため、ＣＰＵ１０１はＲＧＢケーブルが接続されたことを検知できる。同様に、ＨＤＭＩインタフェース１１１ｂにＨＤＭＩケーブルが接続されるとＨＤＭＩインタフェース１１１ｂはＣＰＵ１０１に割り込み信号を出力するため、ＣＰＵ１０１はＨＤＭＩケーブルが接続されたことを検知できる。また、外部記憶コントローラ１０６にＵＳＢメモリ５が接続されると外部記憶コントローラ１０６はＣＰＵ１０１に割り込み信号を出力するため、ＣＰＵ１０１はＵＳＢメモリ５が接続されたことを検知できる。
【００５４】
映像リソース検出部４１は、このＣＰＵ１０１への割り込みに基づき表示装置１００に接続された映像リソースを判別する。すなわち、映像リソース検出部４１は現在、表示装置１００に表示されている映像リソースを検出している。
【００５５】
映像リソース検出部４１は、接続されている映像リソースに変化が生じるとパスワード生成部３１に通知する。パスワード生成部３１は、予め、パスワード初期化条件記憶部４５にパスワード初期化条件を記憶している。パスワード初期化条件とは、パスワード生成部３１がパスワードを新たに生成する（初期化する）条件であり、例えば以下のような条件の１つ以上が登録されている。なお、初期化とは、新しいパスワードを生成し、古いパスワードを破棄することである。
(i)  あらたに映像リソースが接続された場合
(ii)  接続されている映像リソースが変化した場合
(iii)  決められた映像リソース（例えばＨＤＭＩケーブル）が接続された場合
したがって、パスワード生成部３１は、映像リソース検出部４１からの通知に基づきパスワード初期化条件を参照してパスワードを生成するか否かを判定し、パスワード初期化条件に適合する場合はパスワードを生成することができる。映像リソース検出部４１以外の映像信号有無検知部４２、入力信号切り替え部４３、及び、出力画像生成部４４については後に説明する。
【００５６】
このように表示装置１００にユーザＰＣ５０が接続されたタイミングでパスワードを性生成することで、表示開始から終了までの期間のみで有効なパスワードを生成することになる。したがって、例えば、ある会議の資料を会議参加者に対してのみ公開するような運用が可能になる。
【００５７】
Ｂ．ネットワーク機器２０やＵＳＢメモリ５からの映像信号の状態が変化した時
図８は、パスワードの生成タイミングに関する画像出力部３３の機能ブロック図の一例を示す。なお、図７において同一の符号を付した構成要素は同様の機能を果たすので、主に図８の主要な構成要素についてのみ説明する。
【００５８】
表示装置１００に映像リソースが接続されると、映像リソースが映像の送信を開始する。また、コンテンツが終了すれば、映像の送信を停止する場合がある。例えば、映像の送信を開始するのは、ユーザが映像を送信するようにユーザＰＣ５０を操作した場合である。また、映像の送信が停止されるのは、例えば、ユーザが映像の送信を停止するようにユーザＰＣ５０を操作した場合、又は、コンテンツが終了した場合などである。
【００５９】
映像信号有無検知部４２は、映像リソース検出部４１が接続されていると検出した映像リソースが映像を出力しているか否かを検知する。例えば、映像信号として閾値以上の電圧が入力されているかにより判断できる。さらに、映像として解読できるデータが入力されているか否かにより判断してもよい。
【００６０】
映像信号有無検知部４２は、映像信号が変化した（映像信号の入力が開始された、映像信号が停止した）映像リソースをその状態と共にパスワード生成部３１に通知する。パスワード生成部３１は、映像リソースからの映像信号が変化した場合、パスワードを生成する。映像信号の入力が開始された場合にパスワードを生成してもよいし、映像信号が停止した場合にパスワードを生成してもよい。映像信号の入力の開始と停止の両方でパスワードを生成してもよい。また、上記のパスワード初期化条件のように、パスワード生成部３１がパスワードを新たに生成する（初期化する）条件が定められていてもよい。
【００６１】
このようなパスワードの生成方法によれば上記Ａと同様の効果が得られるが、映像信号の開始と停止によりパスワードを生成することで、実際に映像信号が入力されている間だけ有効なパスワードを生成できる。
【００６２】
Ｃ．映像リソースの映像から映像データを生成できる状態に変化した時
このＣのタイミングでパスワードを生成することで、ネットワーク機器２０が取り込みを要求する映像データがディスプレイ３に表示されている間だけ有効なパスワードを生成できる。
【００６３】
図９は、パスワードの生成タイミングに関する画像出力部３３の機能ブロック図の一例を示す。なお、図７、８において同一の符号を付した構成要素は同様の機能を果たすので、主に図９の主要な構成要素についてのみ説明する。
【００６４】
まず、入力信号切り替え部４３は、映像信号有無検知部４２が映像信号を検知している映像リソースのいずれか１つをディスプレイ３に表示する映像リソースに切り替える。例えば、一番最後に映像信号が入力された映像リソース（一番最後に映像リソース検出部４１が検出した映像リソース）の映像データをディスプレイ３に表示する。
【００６５】
より具体的には、ＲＧＢケーブル、ＨＤＭＩケーブル又は外部記憶コントローラ１０６など物理的及び論理的な入力経路のうち有効な入力経路を選択する。入力経路を切り替えることで外部接続された映像リソースを容易に切り替えることができる。
【００６６】
出力画像生成部４４は、映像リソースから入力された映像を、ディスプレイ３が表示可能なデータに変換する。例えば、ＲＧＢ信号やＨＤＭＩ信号を垂直同期信号ごとに１つのフレームに変換する。フレームのフォーマットは、ＪＰＥＧ、ＢＭＰ、ＧＩＦ、ＰＤＦなどどのようなものでもよい。また、ＵＳＢメモリ５が映像リソースであり、例えばコンテンツがＭＰＥＧ形式の映像ファイルの場合は、Ｉフレーム又はＩフレームにＰフレームやＢフレームを適用して１フレームを作成する。また、コンテンツがＪＰＥＧ形式の映像ファイルの場合は、映像ファイルをデコードして１フレームを作成する。
【００６７】
これらのフレームが映像データであり、映像データは、ディスプレイ３への表示、及び、ネットワーク機器２０からの取り込み要求に対する応答に使用される。なお、本実施形態では触れていないが、ネットワーク機器２０のディスプレイ３の映像をネットワーク機器２０に配信するために使用される場合がある。
【００６８】
出力画像生成部４４は出力画像データ送信部３５に生成した映像データを出力することで、出力画像データ送信部３５は映像データをネットワーク機器２０に送信する。なお、映像に手書き情報が追加された場合があるが、ディスプレイ３に表示されている映像のどの部分（後述するレイヤ）を送信するかはユーザが選択できる。詳細は後述する。
【００６９】
このように、出力画像データ送信部３５が映像データを送信可能な状態であれば、ネットワーク機器２０からの要求に対し、出力画像データ送信部３５が取り込まれた映像データを送信可能になる。したがって、出力画像生成部４４が映像データを生成できる状態に変化したタイミングでパスワードを生成することで、取り込み可能な映像データがディスプレイ３に表示されている間だけ有効なパスワードを生成できる。
【００７０】
出力画像生成部４４は映像データを生成可能なタイミングとなったことをパスワード生成部３１に通知すると、パスワード生成部３１はパスワードを初期化する。
【００７１】
なお、映像データを生成可能なタイミングは厳密には映像データの生成前のタイミングであるが、実際に出力画像生成部４４が映像データを生成した時に、パスワード生成部３１に通知してもよい。生成できることを実際に確認した直後なので、映像データを生成可能なタイミングとほぼ同じである。
【００７２】
Ｄ．最後にパスワードが生成されてから規定時間が経過した時
パスワード生成部３１は最後にパスワードが生成されてから所定時間が経過した時にパスワードを初期化する。この場合、パスワード生成部３１は、パスワードを生成する毎に、タイマカウントを開始し、規定された時間が経過すると、過去のパスワードを破棄し新たなパスワードを生成する。この時間としては限定されるものではないが、例えば、１分から数分、３０分、１時間などである。また、ユーザが、タイマカウントの時間を設定してもよい。
【００７３】
Ｅ．メニューから受け付けられる設定内容が予め定められている値に変化した時
メニューとは、ディスプレイ３に表示されるボタン（ソフトキー）などであり、後述するＵＩ表示レイヤに表示される。また、メニューにはハードキーによるボタンなどが含まれる。
【００７４】
図１０は、パスワードの生成タイミングに関する画像出力部３３の機能ブロック図の一例を示す。表示装置１００は種々の設定を受け付ける設定受付部４６を有している。設定受付部４６は、ディスプレイ３に表示されたメニューに対する操作を受け付けたり、ユーザＰＣ５０やネットワーク機器２０からのネットワークを経由した操作を受け付けることができる。設定される内容は表示に関するもの、通信に関するものなど様々であるが、その１つに例えば運用ポリシーがある。
【００７５】
運用ポリシーには、外部との通信を許可するか、同時に接続可能なネットワーク機器２０の台数、自動電源オフするまでの時間、ファームウェアのバージョンアップの設定、パスワードの文字数、その他のセキュリティの設定などがある。
【００７６】
例えば運用ポリシーが変更されると、セキュリティの設定が変更されたと考えられるので、セキュリティを強化するためにパスワードを初期化することが好ましい。そこで、設定受付部４６は運用ポリシーに関する設定が変更されるとパスワード生成部３１に通知する。これにより、パスワード生成部３１は運用ポリシーの設定が変更されるとパスワードを新たに生成することができる。
【００７７】
パスワード生成部３１は設定テーブル記憶部４７を有している。設定テーブル記憶部４７には設定テーブルが記憶されている。設定テーブルは項目名と値を対応づけたテーブルである。パスワード生成部３１は、設定テーブルの項目が登録されている値になるとパスワードを新たに生成する。例えば、項目Ａが"xxx"、項目Ｂが"yyy"になると、パスワードが変更される。
【００７８】
これにより、例えば運用ポリシーが変更されると自動的にパスワードを変更できるのでセキュリティを向上できる。なお、運用ポリシーは一例に過ぎず、他の設定項目の設定に応じてパスワードを生成してもよい。
【００７９】
Ｆ．パスワード入力受付部３２がパスワードの入力を受け付けたタイミング
図１１は、パスワードの生成タイミングを説明する図の一例を示す。図１１（ａ）に示すように、パスワード生成部３１は最後に生成したパスワード「＊＊＊１」をディスプレイ３に表示している。ユーザがこのパスワードを入力し、パスワード入力受付部３２に送信すると、パスワード入力受付部３２はパスワード生成部３１が最後に生成したパスワードとパスワード入力受付部３２が受け付けたパスワードが一致するか否かを判定する。
【００８０】
次に、図１１（ｂ）に示すように、パスワードが一致してもしなくても、パスワード生成部３１は新たなパスワード「＊＊＊２」を生成する。このように、パスワードの入力を受け付ける度にパスワードが変更されると、総当たり方式によるパスワードの解読が困難になる。例えば、パスワード「＊＊＊１」は、ネットワーク機器２０からパスワード「＊＊＊１」が送信（入力）されることにより、パスワード「＊＊＊２」に変更されるので、元のパスワード「＊＊＊１」を総当たりで突き止めることはできない。次のパスワード「＊＊＊２」を突き止めようとした場合にも同様のことが言える。
【００８１】
したがって、パスワード入力受付部３２がパスワードの入力を受け付けるごとに、パスワードを初期化することで、パスワードを不正に突き止めようとする第三者がパスワードを特定することを困難にできる。
【００８２】
＜表示処理＞
次に、画像出力部３３による映像の表示について説明する。
図１２は、映像の表示に関する画像出力部３３の機能ブロック図の一例を示す。図１２では、画像出力部３３は、出力画像生成部４４、コンテンツ画像表示レイヤ４８、レイヤ画像合成部５１、及び、ＵＩ表示レイヤ４９を有している。なお、図７〜９との違いは、説明の対象とする機能の違いであって、図７〜９で説明した機能を有している。
【００８３】
コンテンツ画像表示レイヤ４８は、映像リソースの映像を表示するための描画レイヤである。すなわち、出力画像生成部４４が映像リソースから生成した映像データがこの描画レイヤに相当する。コンテンツ画像表示レイヤ４８は、このレイヤに独立したメモリ空間を割り当てることで実現することができる。
【００８４】
ＵＩ表示レイヤ４９は、メニューなどのＵＩ（ユーザーインタフェース）を表示する、映像リソースのコンテンツとは別の要素を表示するためのレイヤである。
【００８５】
レイヤ画像合成部５１は、複数のレイヤ画像を合成し、１枚の表示画像を生成する。これにより合成された複数のレイヤは、ディスプレイ３に表示される。
【００８６】
レイヤ画像の合成は、ソフト処理で重ねあわせ処理を行っても良いし、グラフィックチップなどハード的にレイア合成機能を備えているものを利用してもよい。それぞれの表示レイヤは画面チラツキを防止するためにバッファリングの構成とすることができる。
【００８７】
図１３は、複数のレイヤ画像の合成を模式的に説明する図の一例である。図１３（ａ）のＵＩ表示レイヤ４９とコンテンツ画像表示レイヤ４８が１枚の画像に合成される。なお、これらのレイヤ画像の他、手書き情報のレイヤ画像やパスワードのレイヤ画像があってもよい。
【００８８】
図１３（ｂ）はより具体的にレイヤ画像の合成を説明する図の一例である。ＵＩ表示レイヤ４９の上方にはメニュー６０１が、コンテンツ画像表示レイヤ４８には映像リソースの映像６０２がそれぞれ表示されている。
【００８９】
レイヤ画像合成部５１は、ピクセル毎に、２つのレイヤ画像を足し合わせて１つの合成画像を生成する。ＵＩ表示レイヤ４９とコンテンツ画像表示レイヤ４８が同じピクセルに情報をもっている場合、予め定められた優先順位に従い、優先順位が最も高いレイヤ画像のピクセルを優先する。また、半透明にして下方のレイヤ画像がユーザに見えるように画像処理してもよい。
【００９０】
図１４は、パスワードが合成された映像の一例を示す。パスワード表示部３４は、パスワードのレイヤ画像を用意してパスワードを表示する。そして、レイヤ画像合成部５１は、コンテンツ画像表示レイヤ４８とＵＩ表示レイヤ４９と合成する。また、パスワードのレイヤ画像を用意することなく、例えば、ＵＩ表示レイヤ４９にパスワードを表示してもよい。
【００９１】
ネットワーク機器２０のユーザは、ディスプレイ３に表示されたパスワードを見て、映像の取り込みのためにパスワードを入力し映像の取り込みを要求できる。また、実際に表示装置１００のディスプレイ３を見ている人にだけ、パスワードを通知することができ、例えば会議室外からのリモートアクセスによる不正な画像データ取得を防止できる。
【００９２】
＜＜パスワードの表示・非表示の切り替え＞＞
図１５は、パスワードの表示・非表示の切り替えについて説明する図の一例である。パスワードは常時、表示してもよいし、ある期間だけ表示してもよい。例えば、ユーザの操作に応じてパスワードの表示・非表示を切り替えることができる。この場合、レイヤ画像合成部５１は、設定受付部４６が受け付けたパスワードの表示及び非表示に関する設定にしたがって、パスワードの表示と非表示を切り替える。
【００９３】
例えばＵＩ表示レイヤ４９には、表示と非表示を切り替えるボタン６０３が表示される。ユーザがパスワードを表示するボタン６０３を押下するとレイヤ画像合成部５１はパスワードを表示し、ユーザがパスワードを非表示にするボタン６０３を押下するとレイヤ画像合成部５１はパスワードを消去する。
【００９４】
これにより、表示装置１００はユーザが必要とするタイミングでのみパスワードを表示できるので、表示画面に余分な情報が表示されたままにすることを防止し、セキュリティを向上できる。
【００９５】
また、レイヤ画像合成部５１は、ある資料の表示中だけ、パスワードを表示してもよい。これにより、何らかのコンテンツ画像が表示されている場合にだけパスワードを表示する。すなわち、映像の取り込みのためにパスワードが必要な状況でだけパスワードを表示できる。
【００９６】
ある資料の表示中とは、映像信号有無検知部４２が任意の映像リソースの映像信号を継続して検知している間である。例えば、ＲＧＢインタフェース１１１ａからの映像信号を検知している場合、レイヤ画像合成部５１はＲＧＢインタフェース１１１ａが映像信号を検知しなくなるとパスワードの表示を終了する。
【００９７】
そして、例えば、ＲＧＢインタフェース１１１ａが再度、映像信号を検知したり、ＨＤＭＩインタフェース１１１ｂが映像信号を検知すると、レイヤ画像合成部５１はパスワードの表示を再開する。再開時には、パスワードが新たに生成されてもされなくてもよい。
【００９８】
＜映像の取り込み要求＞
このようにしてディスプレイ３には映像だけでなく、メニューやパスワードが合成された合成画像が表示される。合成画像に対し、ネットワーク機器２０のユーザは合成画像の取り込みを要求できる。ユーザとしては、パスワードやＵＩ表示レイヤ４９は不要な場合が多いため、取り込む画像を選択できることが好ましい。そこで、本実施形態では、ユーザは以下のように合成画像のレイヤ画像を選択して取り込むことができる。
・すべてのレイヤ画像が合成された合成画像
・コンテンツ画像表示レイヤ４８と手書き情報のレイヤ画像の合成画像
・コンテンツ画像表示レイヤ４８
・手書き情報のレイヤ画像
ユーザはネットワーク機器２０を操作してこれらのどのレイヤ画像を取り込むかを選択できる。ネットワーク機器２０はこの選択されたレイヤ画像の選択情報（画像レイヤ指定情報の一例である）を表示装置１００に送信する。
【００９９】
例えば、ユーザがコンテンツ画像表示レイヤ４８を選択すれば、メニュー画面などを排除して、映像データ（コンテンツ）のみを取得することができる。また、すべてのレイヤ画像が合成された合成画像が選択されれば、ディスプレイ３に表示されている画面そのものを取得することができる。
【０１００】
また、ユーザは、ユーザＰＣ５０がＵＳＢメモリ５の映像ファイルを再生して表示装置１００に表示させている場合、表示中の映像データ（１フレームとしての画像）でなくＵＳＢメモリ５のファイルそのものを取り込みたい場合がある。また、ＵＳＢメモリ５に限らず、ユーザＰＣ５０が表示装置１００に送信している映像データ（コンテンツ）のファイルを取り込みたい場合がある。このような要望に対し、本実施形態では、レイヤ画像を選択する場合と同様に、ユーザは「表示中のファイル」のようにファイルを選択して、取り込みを要求できる。
【０１０１】
これらの選択を可能とするため、パスワード入力受付部３２は、出力画像取得要求と共に、レイヤ画像を指定する情報、又は、表示中の映像の映像ファイルを指定する情報を受け付けて、画像出力部３３に通知する。画像出力部３３又はレイヤ画像合成部５１は、レイヤ画像を指定する情報が送信された場合、指示されたレイヤ画像のみを取り込んで映像データを生成する。また、映像ファイルを要求された場合、画像出力部３３は入力信号切り替え部４３が選択している映像データの入力経路により映像リソースを特定し、該映像リソースから映像ファイルを読み出す。映像リソースがＵＳＢメモリ５の場合、画像出力部３３にとって現在、表示している映像ファイルは既知である。これに対し、ユーザＰＣ５０から映像ファイルを取得する場合は、ユーザＰＣ５０に問い合わせるなどしてもよい。これにより、会議などで使用された一連の資料を手間をかけず取得することができる。
【０１０２】
＜動作手順＞
図１６は、映像表示システム５００の動作手順を示すシーケンス図の一例を示す。図１６のシーケンスが開始される前に、パスワードが生成されているものとする。
S1：ユーザはネットワーク接続されたネットワーク機器２０を操作して、パスワードを入力し、表示装置１００のパスワード入力受付部３２に対して、パスワードと共に出力画像取得要求を送信する。端末からの要求の方法は、ＷＥＢ−ＡＰＩとして用いられることの多いＲＥＳＴやＳＯＡＰ（どちらも、ＨＴＴＰなどのプロトコルを使って、ＸＭＬ形式のデータをやりとりするためのしくみ）などがあるが、本実施形態では要求手段を特に限定するものではない。
S2：パスワード入力受付部３２は、出力画像取得要求を受け付け、通知されたパスワードの内容と、パスワード生成部３１が生成し保持しているパスワードが一致するか否かを判定する。
【０１０３】
以下の処理は、パスワードが一致する場合としない場合で処理が分かれる。
S2.1：パスワードが一致した場合、パスワード入力受付部３２は、出力画像データ送信部３５に対して、映像データの送信要求を行う。要求に対する映像データの送信先は、要求元の端末（ネットワーク機器２０）となる。送信元の識別情報としては、ＩＰアドレスやＭＡＣアドレスであるが、メールアドレスなどを用いることができる。
S2.1.1：出力画像データ送信部３５は、映像データの送信要求を受けると画像出力部３３に対して、現在表示中の映像データを要求する。画像出力部３３は、映像データを送信可能な形式に変換し出力画像データ送信部３５に出力する。
S2.1.2：出力画像データ送信部３５は、映像データをネットワーク機器２０に送信する。このときネットワーク機器２０のＩＰアドレスに対して、要求に対する応答(GET Requestに対するResponse)で送信しても良いし、メールアドレスを端末識別子として使用したメール送信(例えばＳＭＴＰ（Send Mail Transfer Protocol)を利用する)を用いるなど、別プロトコルを用いて送信してもよい。
S3：パスワードが一致しない場合、パスワード入力受付部３２はエラー応答を送信する。
【０１０４】
以上のように、本実施形態の表示装置１００は、映像データの取得要求が送信されたタイミングでネットワーク機器２０を認証するので、取り込まれる映像単位でアクセス制御することができる。また、パスワードを動的に生成するので、管理者などがパスワード設定する手間が省けける。また、パスワードは上述したタイミングで生成されるので、セキュリティ強度を高めることができる。
【０１０５】
以上、本発明を実施するための最良の形態について実施例を用いて説明したが、本発明はこうした実施例に何等限定されるものではなく、本発明の要旨を逸脱しない範囲内において種々の変形及び置換を加えることができる。
【０１０６】
例えば、表示装置１００の機能である画像出力部３３、パスワード表示部３４、パスワード入力受付部３２、及び、出力画像データ送信部３５は別々の装置に搭載されていてもよい。ディスプレイ３が表示装置１００とは独立していてもよい。また、表示装置１００が複数台、存在してもよい。
【０１０７】
また、上記の説明ではユーザＰＣ５０と表示装置１００はＲＧＢケーブルなどで接続されていると説明したが、例えば、ユーザＰＣ５０と表示装置１００をネットワーク（ＬＡＮなどのイントラネット）を経由して接続してもよい。これにより、ユーザＰＣ５０はネットワークを介して映像データを送信することができる。
【０１０８】
また、表示装置１００は、ユーザＰＣ５０からの映像を表示すると説明したが、表示装置１００はサーバからダウンロードした映像データを表示することもできる。また、表示装置１００は映像を表示しなくてもよい。ユーザが表示装置に映像を表示しない場合とは、手書き情報で議論を進めるような場合であり、この場合は手書き情報が取り込まれる映像データとなる。
【０１０９】
また、キャプチャデバイス１１１のインタフェースは、ＲＧＢインタフェースやＨＤＭＩインタフェースに限られず、ＤＶＩインタフェース、DisplayPortインタフェースなど映像信号が入力されるインタフェースであればよい。
【０１１０】
また、ネットワーク機器２０から取り込みを要求する際にレイヤ画像でなく、画像出力部３３で表示対象としているファイルの種別（拡張子、ファイルサイズ）を選択しても良い。
【符号の説明】
【０１１１】
２０    ネットワーク機器
３１    パスワード生成部
３２    パスワード入力受付部
３３    画像出力部
３４    パスワード表示部
３５    出力画像データ送信部
４１    映像リソース検出部
４２    映像信号有無検知部
４３    入力信号切り替え部
４４    出力画像生成部
４５    パスワード初期化条件記憶部
４８    コンテンツ画像表示レイヤ
４９    ＵＩ表示レイヤ
５０    ユーザＰＣ
１００  表示装置
２００  映像表示システム
【先行技術文献】
【特許文献】
【０１１２】
【特許文献１】特許第3707407号公報
【図１】
2016009905.tif 000003
【図２】
2016009905.tif 000004
【図３】
2016009905.tif 000005
【図４】
2016009905.tif 000006
【図５】
2016009905.tif 000007
【図６】
2016009905.tif 000008
【図７】
2016009905.tif 000009
【図８】
2016009905.tif 000010
【図９】
2016009905.tif 000011
【図１０】
2016009905.tif 000012
【図１１】
2016009905.tif 000013
【図１２】
2016009905.tif 000014
【図１３】
2016009905.tif 000015
【図１４】
2016009905.tif 000016
【図１５】
2016009905.tif 000017
【図１６】
2016009905.tif 000018